(57)【要約】【課題】　携帯電話とファクシミリをイヤホンマイク端子を利用して接続した場合の使い勝手を良くすることを目的とする。【解決手段】　携帯電話装置のイヤホンマイク端子にデータ通信端末が接続されていない場合は、受信信号に応じて音声通信と外部データ通信端末によるデータ通信を自動的に切り替える自動切替モード、外部データ通信端末によるデータ通信を優先的に行うデータ通信モードを選択できなくし、接続されている場合は、音声通信モードに加え、自動切替モード、データ通信モードを選択できるようにする。または、接続されていない場合に、自動切替モード、データ通信モードが選択された場合には、警告を行うようにする。【選択図】　図１
2004140851.tif 000002
【特許請求の範囲】
【請求項１】
　データ通信端末を接続可能な携帯電話装置において、
　イヤホンマイクプラグにより外部データ通信端末を接続可能なイヤホンマイク端子と、
　受信信号に応じて音声通信と前記外部データ通信端末によるデータ通信を自動的に切り替える自動切替モードと、前記外部データ通信端末によるデータ通信を優先的に行うデータ通信モードと、通話を優先的に行う音声通信モードのいずれかを選択するための選択手段と、
　前記イヤホンマイク端子へのイヤホンマイクプラグの接続状態に応じて、前記選択手段による選択制御を行う制御手段を有することを特徴とする携帯電話装置。
【請求項２】
　請求項１において、
　前記選択制御は、前記イヤホンマイク端子へのイヤホンマイクプラグの接続状態に応じて、前記選択手段により前記自動切換えモード乃至前記データ通信モードを選択可能にすることを特徴とする携帯電話装置。
【請求項３】
　請求項１において、
　前記選択制御は、前記自動切換えモード乃至前記データ通信モードが選択されると、前記イヤホンマイク端子へのイヤホンマイクプラグの接続状態に応じて、所定の警告を行うことを特徴とする携帯電話装置。
【請求項４】
　イヤホンマイクプラグにより外部データ通信端末を接続可能なイヤホンマイク端子を有する携帯電話装置の制御方法において、
　受信信号に応じて音声通信と前記外部データ通信端末によるデータ通信を自動的に切り替える自動切替モードと、前記外部データ通信端末によるデータ通信を優先的に行うデータ通信モードと、通話を優先的に行う音声通信モードのいずれかを選択するための選択工程と、
　前記イヤホンマイク端子へのイヤホンマイクプラグの接続状態に応じて、前記選択工程における選択制御を行う制御手段を有することを特徴とする携帯電話装置の制御方法。
【発明の詳細な説明】
【技術分野】
【０００１】
　本発明は、データ通信端末を接続可能な携帯電話装置及び制御方法に関する。
【背景技術】
【０００２】
　自動車電話機、携帯電話機等の無線電話システムが近年急速に拡大し、これと相まってファックス、パソコン通信も行なわれるようになってきている。現在、使用されている携帯電話などには、使用環境等の条件により通常のスピーカおよびマイクでは対応しきれない場合などを考慮して、イヤホンマイク端子が装備されている。
【０００３】
　このイヤホンマイク端子にデータ端末を接続してデータ通信を行なっていた。
【０００４】
　図１２は従来のハンディホンのイヤホンマイク部分の接続構成を示す概略図である。イヤホンマイクプラグ５０はイヤホン５２用の受話とマイク５３用の送話とＧＮＤの３ピン端子であり、ハンディホン５４のイヤホンマイク端子５１に装着できるように構成されている。このイヤホンマイク端子５１には、アンプ５５、コンデンサ５６、および抵抗５７を介して受話回路が、コンデンサ５８、抵抗５９、およびアンプ６０を介して送話回路がそれぞれ構成されている。
【０００５】
　図１３は従来のハンディホンの構成を示す回路図である。
【０００６】
　操作部７２の操作信号に基づき制御回路６９は復調回路６７および変調回路７４を制御する。アンテナ６５を介して受信された電波は受信回路６６で増幅された後、復調回路６７で音声信号に復調される。音声信号はアンプ６８で増幅され、スピーカ６２より出力される。一方、マイク６３に入力した音声信号はアンプ７３で増幅された後、変調回路７４で変調され送信回路７５を介して送信される。イヤホンマイク端子６１にイヤホンマイクプラグ７８を差し込むと、イヤホンマイクプラグ７８との接点７６、７７がイヤホンマイクプラグ７８の太さにより押し上げられ図１４のようにスピーカ６２の入力側とマイク６３の出力側が切り放される。そして、イヤホンマイクプラグ７８の送話側と受話側の端子がアンプ６８、７３と接続され、イヤホンマイクによる通話が可能となる。
【０００７】
　しかし、上記従来例では、イヤホンマイク端子にファックス等の端末装置を接続して通信する要請が高まっているが携帯電話の用途として通話目的がメインであるため、携帯電話とファクシミリを携帯電話のイヤホンマイク端子を利用して接続しておき、そのシステムに自動受信機能がある場合電話がかかってきてもファクシミリとなってしまう。さらに携帯電話とファクシミリを携帯電話のイヤホンマイク端子を利用して接続した状態では、上述した様な構成のため携帯電話で通話したい場合接続したケーブルを外さなくてはならなかった。
【０００８】
　また、特許文献１では、携帯電話が有するファクシミリ端末を接続するための専用差し込み口を使って、携帯電話とファクシミリ端末を接続していた。
【特許文献１】特開平６−８５９６１号公報
【発明の開示】
【発明が解決しようとする課題】
【０００９】
　しかし、特許文献１は、ファクシミリ端末専用の差し込み口を設けたものであり、上述の如く、イヤホンジャックを用いてファクシミリ端末を接続するものではなく、専用の差し込み口が必要であり、専用の差し込み口を持つ携帯電話としか接続できなかった。
【００１０】
　また、上述したように、従来の携帯電話は、通話専用なので、携帯電話とファクシミリを携帯電話のイヤホンマイク端子を利用して接続すると、ファクシミリ専用の携帯電話になってしまい、通話、ファクシミリ受信を選択的に行うことができず、使い勝手が悪いかった。
【００１１】
　本発明は、携帯電話とデータ通信端末をイヤホンマイク端子を利用して接続した場合の使い勝手を良くすることを目的とする。
【課題を解決するための手段】
【００１２】
　本発明は、上記問題を解決するために、データ通信端末を接続可能な携帯電話装置において、イヤホンマイクプラグにより外部データ通信端末を接続可能なイヤホンマイク端子と、受信信号に応じて音声通信と前記外部データ通信端末によるデータ通信を自動的に切り替える自動切替モードと、前記外部データ通信端末によるデータ通信を優先的に行うデータ通信モードと、通話を優先的に行う音声通信モードのいずれかを選択するための選択手段と、前記イヤホンマイク端子へのイヤホンマイクプラグの接続状態に応じて、前記選択手段による選択制御を行う制御手段を有することを特徴とする携帯電話装置を提供する。
【００１３】
　また、イヤホンマイクプラグにより外部データ通信端末を接続可能なイヤホンマイク端子を有する携帯電話装置の制御方法において、受信信号に応じて音声通信と前記外部データ通信端末によるデータ通信を自動的に切り替える自動切替モードと、前記外部データ通信端末によるデータ通信を優先的に行うデータ通信モードと、通話を優先的に行う音声通信モードのいずれかを選択するための選択工程と、前記イヤホンマイク端子へのイヤホンマイクプラグの接続状態に応じて、前記選択工程における選択制御を行う制御手段を有することを特徴とする携帯電話装置の制御方法を提供する。
【発明の効果】
【００１４】
　本発明によれば、イヤホンプラグを用いたデータ通信端末の接続状態に応じたモード選択処理を行うことができる。
【００１５】
　また、データ通信端末の接続状態に適したモードを選択することができる。
【発明を実施するための最良の形態】
【００１６】
　発明を実施するための最良の形態は、次の実施例である。
【実施例１】
【００１７】
　以下図面を参照して本発明をさらに詳しく説明する。
【００１８】
　図１は本発明によるファクシミリ通信と携帯電話の通話の自動切り換えを行なうＦＡＸ／ＴＥＬ切り替え方式を採用したシステム構成を示す図で、携帯電話とファックス端末を接続した状態を示す図面である。
【００１９】
　携帯電話機１のイヤホンマイク端子３にファックス端末２のイヤホンマイクプラグが接続されている。この状態で携帯電話機１とファックス端末２の電源を投入して起き、着信があった場合携帯電話機１が回線を捕捉しＦＡＸ／ＴＥＬ切り換えによってＦＡＸであれば自動的にファックス端末が受信可能となり、ＴＥＬであれば携帯電話機１のベル（リンガ部４３）がなってオペレータに知らせる状態となる。
【００２０】
　４は、操作部であり、各種操作のためのキースイッチがある。５は表示部であり、操作部４による操作内容等の表示を行なう。６はスピーカ、７はマイクである。
【００２１】
　また、携帯電話機１に、着信に応じて、通話とファクシミリのデータ通信を自動的に切り換えるＦＡＸ／ＴＥＬ切り替えモードと、ファクシミリ受信を優先に行なう自動受信モード（ＦＡＸ優先）と、通話を優先して行なう手動受信モード（ＴＥＬ優先）の３モード、または、この組み合わせによる切り替え動作ができる操作キー８を設け、指定したモードの動作を行なうことができる。
【００２２】
　この上記した３モードの切り替えは、携帯電話機１がイヤホンマイク端子３にファックス端末２のイヤホンマイクプラグが接続されているかを判断し、接続されていない場合には、ＦＡＸ／ＴＥＬ切り替えや自動受信モードにモード設定できない様にしても良いし、イヤホンマイクプラグが接続されていない場合に、ＦＡＸ／ＴＥＬ切り替えモードや自動受信モードにモード設定すると携帯電話機１のスピーカや表示部で操作者に対して警告をする様にしても良い。
【００２３】
　図２は本実施例によるシステムの構成を示すブロック図である。図２の上段部分には携帯電話機１の構成が、図２の下段部分にはファックス端末２の構成がそれぞれ示されている。
【００２４】
　イヤホンマイク端子３のイヤホン側の端子３ａはコンデンサ６とスピーカ、イヤホン切換回路４０を介してスピーカアンプ４に接続されている。スピーカ５は５ａを通し、スピーカ、イヤホン切換回路４０を介してスピーカアンプ４に接続されている。また、イヤホンマイク端子３のマイク側の端子３ｂはコンデンサ７とイヤホンマイク、マイク切換回路４１を介してマイクアンプ９に接続されている。マイク８は８ａを通し、イヤホンマイク、マイク切換回路４１を介してマイクアンプ９に接続されている。
【００２５】
　制御回路１１は、携帯電話機１を統括的にメモリ１２に記憶されている内容に基づいて制御しており、回線に対する発信、相手電話番号送出、通話、切断、保留、着信制御、ＦＡＸ／ＴＥＬ切り替えを行なう。また、制御回路１１は、イヤホンマイク端子３にイヤホンマイクプラグ２９が接続されているかどうかの判断をする。この判断は、図３に示す様に、図２のＣの電位がＨ（ハイレベル）からＬ（ローレベル）に変化すると、その変化を検出して、イヤホンマイクプラグが接続されたと判断する。
【００２６】
　ＣＮＧ無音検出部４２は、無線回線を捕捉した後に前記検出部においてファクシミリ信号であるＣＮＧ信号か、無音であるか、また音声信号であるかを検出する。ここで、ＣＮＧ信号か、無音であれば、それを制御部１１に知らせる動作を行なう。
【００２７】
　次に、着信信号発生回路１０は、制御回路１１の制御の下に着信信号を出力し、その出力はイヤホンマイク端子３のイヤホン側に接続されている。イヤホンマイク端子３のイヤホン側は応答を検出するために制御回路１１に接続されている。また、音声信号であれば制御部１１よりリンガ部４３を起動しオペレータに知らせる動作を行なう。
【００２８】
　制御回路１１は、無線回線から着信があると、ＣＮＧ無音検出部において、ＣＮＧまたは無音の検出動作を行ない検出すると制御部１１に知らせ制御部１１から着信信号発生回路１０からオン−オフ−オン制御する。また、イヤホンマイク端子のイヤホン側がＨ（ハイレベル）からＬ（ローレベル）に変化すると、その変化を検出して受信起動の制御を行なう。
【００２９】
　メモリ１２は、上述した制御回路１１の各制御の制御内容が記憶されているＲＯＭと、演算用のワークエリアのためのＲＡＭから構成されている。
【００３０】
　操作部１４は、携帯電話１を操作するための各種の操作キーが設けてあり、上述したモード切り換えの操作キーもこの操作部１３にある。
【００３１】
　つぎにファックス端末の構成を説明する。
【００３２】
　ファックス端末２は送信および受信のために操作するための操作部よりなる操作部１８がパネルに設けられている。操作部１８の各ボタンの押し下げ情報は制御部１７に入力される。制御部１７はファックス端末２を統括的に制御しており、データ送信時には駆動部２１を動作させて図示しない原稿等を読み取り部２０で読み取り、読み取ったデータを変調回路２２に送出する。また、データ受信時には受信した情報を印字部１９によってハードコピーする。着信信号検出回路１３の出力がＦＡＸ受信の場合スイッチ２６を一定時間閉じる。ファックス端末２は電話回線に接続するための電話回線用端子２７の他に、携帯電話１に接続するためのイヤホンマイクプラグ２９を備えている。イヤホンマイクプラグ２９のイヤホン側すなわち受信側はコンデンサ１４、アンプ１５を介して復調回路１６に接続されている。復調回路１６で復調された受信データは制御部１７に入力される。着信信号検出回路１３はこのイヤホンマイクプラグ２９のイヤホン側に接続され、ＦＡＸ起動信号の検出を行なう。ＦＡＸ起動信号を検出すると受信動作を行ない、前記スイッチを動作させて動作の状態、終了などを携帯電話１に知らせる。
【００３３】
　一方、送信時のデータは変調回路２２によって変調され、アンプ２３で適正レベルまで増幅される。そしてアンプ２３の変調信号がコンデンサ２４を介して上記イヤホンマイクプラグ２９のマイク側に出力される。
【００３４】
　電話回線用端子２７はリレー接点２５およびトランス２８を介してアンプ１５の入力側とアンプ２３の出力側に接続されている。ファックス端末２は携帯電話１によるファックス通信では無く通常のファックス通信を行なう場合は電話回線用端子３７に電話回線が接続される。
【００３５】
　制御部１７による制御は、制御部１７内のＲＯＭの内容によって行なわれることになり、演算等の処理はＲＡＭで行なわれる。
【００３６】
　次に、無線回線より着信があった場合の動作について説明する。
【００３７】
　無線回線より着信があった場合には制御回路１１は、無線回線を捕捉し、ＣＮＧ無音検出部４２により、ＣＮＧか無音かまたは音声信号かを検出する。音声信号であれば、制御部１１によりリンガ部４３を起動しオペレータを呼び出す。オペレータがオフフックしたら切り替え回路４０、４１をスピーカ、マイク側に切り替え通話を行なう。また、ＣＮＧか無音であれば、制御部１１より着信信号発生回路１０を起動して、さらに切り替え回路４０、４１をイヤホンマイク端子側に切り替える。つぎにイヤホンマイク端子３からファックス端末２に起動をかける。ここでファックス端末２は着信検出回路１３において着信信号を検出すると受信動作を行なうと同時にスイッチ２６を一定の間隔で閉じ、携帯電話１に信号を着信したことを知らせるとＡの電位がＨ−Ｌ−Ｈに変わるそれによって応答検出信号が制御部１１に受信動作を開始したことを知らせる。
【００３８】
　そして受信動作が終了するとスイッチ２６を一定の時間閉じることによって受信動作が終了したことを携帯電話１に知らせる。これにより携帯電話１のＡ部分の電位がＨ−Ｌに変わる。制御回路１１はＡ部分の電位降下により応答信号を検出し無線回線を開放する。
【００３９】
　図４は、着信時の携帯電話１の動作を示すフローチャートである。
【００４０】
　図５は、着信時のファックス端末２の動作を示すフローチャートである。
【００４１】
　以下、図４と図５のフローチャートを用いて、ＦＡＸ／ＴＥＬ切り替えモードに設定されている場合の図２の各部の動作を説明する。
【００４２】
　まず着信があると、Ｓ４０１で無線回線を捕捉する。これは、携帯電話機１の制御部１１で行なう。
【００４３】
　次にＳ４０２において、ＣＮＧ無音検出部４２でＣＮＧまたは無音を検出する。ＣＮＧまたは無音を検出すると、Ｓ４０３で切り換え回路４０、４１をイヤホンマイク端子側に切り換える。そして、Ｓ４０４において、着信信号発生回路１０からファックス端末２に起動信号を出力させてファックス端末２を起動する。この起動信号を図６の６−１に示す。ファックス端末２はＳ５０１において、着信信号検出回路１３にて携帯電話機１からの起動信号を検出すると、Ｓ５０２において、制御部１７はスイッチ２６を一定時間オンする。このスイッチ２６のオンにより、携帯電話機１のＡ部分の電位が変化する（ファックス端末２から携帯電話機１へ第１の応答信号が送られる）。Ｓ４０５において、その第１の応答信号が電位の変化により制御部１１によって検出される。この時のＡ部分の電位の変化を図６の６−２に示す。制御部１１は、ファックス端末からの第１の応答信号を検出すると、切り換え回路４０、４１をイヤホンマイク側に保持し、Ｓ５０３において、ファックス端末２によりファクシミリ受信が行なわれる。Ｓ５０４でファクシミリ受信が終了すると、Ｓ５０５において、制御部１７はスイッチ２６を一定間隔でオンする（第２の応答信号を携帯電話機１へ送信する）。この第２の応答信号を図６の６−３に示す。また、ファクシミリ受信中、携帯電話機１の制御部１１は、Ａ部分の電位を監視しており、Ｓ４０６で第２の応答信号を検出すると、Ｓ４０７で切り換え回路４０、４１をスピーカ５とマイク８側に切り換え待機状態に戻し、Ｓ４０８において、無線回線を開放する。
【００４４】
　また、イヤホンマイク端子３にファクシミリ装置以外のイヤホンマイク等の装置が接続されている場合には、Ｓ４０５で第１の応答信号の検出が行なわれないため、Ｓ４０９で「ファクシミリを接続して下さい」等のファクシミリ装置の接続要求の表示を行なう。
【００４５】
　また、Ｓ４０２でＣＮＧ無音検出部４２でＣＮＧや無音が検出されなければ、Ｓ４１０でリンガ部４３を鳴らし、オフフックを待つ。Ｓ４１１で操作部１３でオフフック操作がなされると、Ｓ４１２で通話を行なう。通話が終了し、操作部１３でオンフックの操作がなされるとＳ４０８で無線回線を解放し、終了する。
【００４６】
　上述した動作における携帯電話機１のＡ部分の電位の変化を図６の６−４に示す。図に示す様に、携帯電話機１とファックス端末２間の起動信号、第１応答信号、第２応答信号の送受信を電位の変化によって行なうので、電力を無駄に消費することがなく、特に携帯電話機１と携帯可能なファックス端末２の様にバッテリー電源により動作する装置においては効率的に起動信号や応答信号の等の通信を行なうことができる。
【００４７】
　また上述した実施例では、ＦＡＸ／ＴＥＬ切り替えモードについて説明をしたが、他のモードの場合に、イヤホンマイクプラグが接続されると、切り替え回路４０、４１は、イヤホンマイク端子３側へ切り替わり、従来のイヤホンマイク端子と同様な役割をはたす。
【００４８】
　図７は、他の実施例の構成を示すブロック図である。
【００４９】
　本図はＦＡＸ／ＴＥＬ切り替えを行なうためのＣＮＧ無音検出部をファックス本体内に設けた例である。図７の上段部分には、携帯電話１の構成が、図７の下段部分にはファックス端末２の構成がそれぞれ示されている。図２と同じ符号を付した回路部分は同じ構成である。
【００５０】
　また、本実施例も前記実施例と同様に３モードを選択でき、モード設定も前記実施例と同様なので説明は省略する。
【００５１】
　制御回路３６は携帯電話１を統括的に制御しており、回線に対する発信、相手番号送出、捕捉、通話、切断、保留、着信制御を行なう。
【００５２】
　また、制御回路３６は、Ｃの電位の変化によりイヤホンマイクプラグの接続状態を検出し、ＦＡＸ／ＴＥＬ切り替えモードや、自動受信モードに設定されると切り換え回路４０、４１をイヤホンマイク端子３側に切り替える。
【００５３】
　着信信号発生回路３５は制御回路３６の制御の下に着信信号を出力し、その出力はイヤホンマイク端子３のイヤホン側に接続されている。イヤホンマイク端子３のイヤホン側は応答を検出するために制御回路３６に接続されている。制御回路３６は無線回線から着信があると、着信信号発生回路３５を制御して出力される。また、イヤホンマイク端子のマイク側は、抵抗３７を介して電源＋Ｂに接続され、さらに応答検出信号Ｂを検出するために制御回路３６に接続されている。制御回路３６は応答検出信号ＢがＨ−Ｌに変化すると、その変化を検出して切替回路４０、４１の制御やリンガ部４３の起動制御を行なう。
【００５４】
　メモリ１２は、上述した制御回路３６の各制御を行なう制御内容が記憶されているＲＯＭと、演算用のワークエリアのためのＲＡＭから構成されている。
【００５５】
　操作部１３は、携帯電話１を操作するための各種操作キーが設けてあり、モード切換等の操作キーもこの操作部１３にある。
【００５６】
　つぎにファックス端末の構成を説明する。
【００５７】
　ファックス端末２の操作部１８、制御部４５、駆動部２１、読み取り部２０、印字部１９、復調回路１６、増幅部１５、２３、コンデンサ１４、２４、電話回路用端子２７、切り替えスイッチ２５、トランス２８の構成は図２と同様である。イヤホンマイク端子のイヤホン側に着信に対し応答を示すためのスイッチ３９が接続されている。さらにコンデンサ１４とアンプ１５を介して後にＣＮＧ無音検出部を設けている。また、マイク側には、前記検出部においてＣＮＧまたは、無音を検出したことによって制御部４５の起動により動作させるスイッチ３８が接続されている。制御部４５の制御は、制御部内のＲＯＭの内容について行なわれており、演算等の処理はＲＡＭで行なわれる。
【００５８】
　ここで、ＦＡＸ／ＴＥＬ切り替えモードに設定されている場合に無線回線より着信があった場合の動作は、制御部３６で回線を捕捉し、着信信号発生回路３５より、イヤホンマイク端子３を介して着信信号検出回路１３で検出される。この時切り替え回路４０、４１はイヤホンマイク端子３に切り替わっている。つぎにＣＮＧ無音検出部において、ＣＮＧか、無音か、音声かを検出し、音声信号であれば制御部４５よりスイッチ３８を一定の間隔で閉じることにより、携帯電話１の応答検出信号ＢがＨ−Ｌ−Ｈとなり制御部３６に応答する。それによって制御部３６は、リンガ部４３を起動しオペレータを呼び出し、オペレータがオフフックすると切替回路４０、４１はスピーカマイク側に切り替わり通話を行なう。ＣＮＧか無音の場合は制御部４５よりスイッチ３８を一定時間閉じることにより、携帯電話１の応答検出信号ＢがＨ−Ｌとなり制御部３６に応答する。それによって着信信号発生回路３５から受信動作を開始するための信号を与えるとともに切替回路４０、４１はイヤホンマイク端子側のままにする。着信信号検出回路１３で信号を検出すると受信動作を開始する。そして受信動作が完了すると再度スイッチ３９より携帯電話１に信号を与えることによって応答検出信号Ａより制御部３６に与え動作を終了する。
【００５９】
　図８は着信時の携帯電話１の動作を示すフローチャートである。
【００６０】
　図９は着信時のファックス端末２の動作を示すフローチャートである。
【００６１】
　以下、図８と、図９を用いて図７の動作について説明する。
【００６２】
　まず、無線回線から着信があると、Ｓ８０１で携帯電話機１の制御部３６は、無線回線を捕捉する。そして、Ｓ８０２において、制御部３６は、着信信号発生回路３５により、信号線の電位を変化させることによってファックス端末２を起動するための起動信号を発生させる。この時の起動信号を図１０の１０−１に示す。一方、ファックス端末２では、Ｓ９０１において、携帯電話機１からの起動信号を着信信号検出回路１３により検出する。着信信号検出回路１３は、携帯電話機１との接続線の電位が図１０の１０−１のパターンで変化したことを検出すると制御部４５に検出信号を出力する。起動信号が検出されると、Ｓ９０２において、制御部４５は、スイッチ３９を図１０の１０−２に示す様に一定時間オンすることによって、携帯電話機１に第１の応答信号を送出する。このとき、携帯電話機の制御部３６は、ファックス端末２へ起動信号を出力した後、ファックス端末２との接続線の電位の変化を検出することによってファックス端末２からの第１の応答信号の検出を行なっており、Ｓ８０３で第１の応答信号を検出すると、切り換え回路４０、４１をイヤホンマイク端子側に保持する。
【００６３】
　次に、ファックス端末２の制御部４５は、Ｓ９０３において、起動信号を検出してから所定時間内にＣＮＧ無音検出部４２によりＣＮＧ信号または所定時間の無音状態が検出されたか否かを判定し、ＣＮＧ信号または無音状態が検出されると、Ｓ９０４において、図１０の１０−３に示される様にスイッチ３８を一定時間オンすることによって第２の応答信号を携帯電話機１に出力する。携帯電話機１では、Ｓ８０４において、上述の第１の応答信号と同様に検出し、制御部３６は、第２の応答信号を検出すると、切り換え回路４０、４１をイヤホンマイク端子側に保持する。ファックス端末２は、Ｓ９０５において、ファクシミリ受信を行ない、Ｓ９０６で、ファクシミリ受信が終了すると、制御部４５は、Ｓ９０７において、スイッチ３８を図１０の１０−４に示すパターンでオンオフすることによって第３の応答信号を携帯電話機１に出力する。携帯電話機１の制御部３６は、Ｓ８０５において、接続線の電位の変化を検出することによって、第３の応答信号を検出すると、無線回線を開放する。
【００６４】
　また、ファックス端末２は、Ｓ９０３において、ＣＮＧ信号または無音状態を検出しなければ、制御部４５は、Ｓ９０８でスイッチ３８を図１０の１０−５に示すパターンでオンオフすることによって、第４の応答信号を携帯電話機１へ出力する。Ｓ８０７において、携帯電話機１の制御部３６は、接続線の電位の変化を検出することによって第４の応答信号を検出すると、Ｓ８０８で切り替え回路４０、４１をスピーカとマイク側に切り替えて、Ｓ８０９で、リンガ部４３を起動してオペレータを呼び出す。
【００６５】
　Ｓ８１０で、操作部１３の操作によってオフフックがなされると、Ｓ８１１で通話を行ない、通話が終了して、操作部１３で、オンフック操作が行なわれると、Ｓ８１３で、切り替え回路４０、４１をイヤホンマイク端子１３側へ切り替えて、Ｓ８０６で無線回線を開放して通信を終了する。
【００６６】
　また、イヤホンマイク端子３にファクシミリ装置以外のイヤホンマイク等の装置が接続されている場合には、Ｓ８０３の第１の応答信号が検出されないので、Ｓ８１４で「ファクシミリを接続して下さい」等のファクシミリの接続要求の表示を行なう。
【００６７】
　図１１は、上述した動作中の着信時の携帯電話機１とファックス端末２間の接続線の電位の変化を示した図である。図中、１１−１は、携帯電話機１が無線回線からの着信を検出してからファックス端末２が携帯電話機１からの起動信号に応答するまでの電位の変化を示し、１１−２は、ＣＮＧまたは無音状態を検出してファクシミリ受信した場合の電位の変化を示し、１１−３は、携帯電話機１により通話を行なった場合の電位の変化を示したものである。
【００６８】
　以上、携帯電話機（携帯通信装置）に接続するデータ端末装置としてファックス端末の例について説明したが、パソコン端末についても同様に実施できる。また着信信号発生回路が発生する着信信号は一定時間オンさせる例について説明したが、一定間隔でオンさせる信号でもよい。また、組み合わせによって様々な信号パターンを形成できる。
【００６９】
　以上、説明したように、携帯通信装置に外部のデータ端末を接続した場合に、携帯通信装置が通話とデータ通信との切り換えを適切に行なうことができる。
【００７０】
　又、外部端子が接続されると内蔵されたマイクとスピーカへの信号路を切断し、前記信号路への信号を前記外部端子へ送出する接続口へデータ端末を接続した場合に、適切にデータ端末を起動することができる携帯通信装置を提供することができる。
【図面の簡単な説明】
【００７１】
【図１】本発明によるＦＡＸ／ＴＥＬ切り替え方式を採用したシステム構成を示す図である。
【図２】本実施例によるシステムのＦＡＸ／ＴＥＬ切り替え方式の実施例を示す回路ブロック図である。
【図３】本実施例によるイヤホンマイク端子にイヤホンマイクプラグが接続されたことを判断するためのイヤホンマイク端子の電位の変化を示す図である。
【図４】実施例の携帯電話の動作を示すフローチャートである。
【図５】実施例のファックス端末の動作を示すフローチャートである。
【図６】本実施例において携帯電話機１とファックス端末２間で通信される信号を示した図である。
【図７】他の実施例によるシステムのＦＡＸ／ＴＥＬ切り替え方式の他の実施例を示す回路ブロック図である。
【図８】他の実施例の携帯電話の動作を示したフローチャートである。
【図９】他の実施例のファックス端末の動作を示したフローチャートである。
【図１０】他の実施例において携帯電話機１とファックス端末２間で通信される信号を示した図である。
【図１１】他の実施例において携帯電話機１とファックス端末２間で通信される信号を示した図である。
【図１２】従来のハンディホンのイヤホンマイク接続部の構成を説明するための概略図である。
【図１３】従来の移動通信機の回路の一例を示す回路図である。
【図１４】従来の移動通信機のイヤホンマイクプラグが差し込まれた状態を示す図である。
【符号の説明】
【００７２】
　１　携帯電話機
　２　ファックス端末
　３　イヤホンマイク端子
　５　スピーカ
　８　マイク
　１０　着信信号発生回路
　１１　制御部（携帯電話）
　１２　メモリ回路
　１３　着信信号検出回路
　１４　操作部
　１６　復調回路
　１７　制御部（ファックス端末）
　２２　変調回路
　２９　イヤホンマイクプラグ
　４０　切換回路
　４１　切換回路
　４２　ＣＮＧ無音検出回路
　４３　リンガ
【図１】
2004140851.tif 000003
【図２】
2004140851.tif 000004
【図３】
2004140851.tif 000005
【図４】
2004140851.tif 000006
【図５】
2004140851.tif 000007
【図６】
2004140851.tif 000008
【図７】
2004140851.tif 000009
【図８】
2004140851.tif 000010
【図９】
2004140851.tif 000011
【図１０】
2004140851.tif 000012
【図１１】
2004140851.tif 000013
【図１２】
2004140851.tif 000014
【図１３】
2004140851.tif 000015
【図１４】
2004140851.tif 000016